(57)【特許請求の範囲】
【請求項１】
本体部と、標本を支持するため前記本体部に結合されたステージと、該ステージ上の標本の拡大された中間像を形成するため２３mmよりも大きい機械的なネジ径を有する対物レンズ組立体を含むレンズ系及び／又は標本の更に拡大された合焦像を形成するため前記レンズ系に結合された接眼レンズと、前記標本を照明するための照明系とを含み、該照明系は、光源と、前記対物レンズ組立体を介して前記標本上へ前記光源からの光を向けさせるため前記レンズ系中に配置され、且つ／又は前記対物レンズ組立体の水平方向横断面領域全体に光を向けるように該対物レンズ組立体の直径よりも大きい直径を有するミラーとを含むマクロスコープ。
【請求項２】
ＮＡＯＢを前記対物レンズ組立体の開口数、ＦＬＯＢを前記対物レンズ組立体の焦点距離としたとき、前記対物レンズ組立体は２２mm＜２×ＮＡＯＢ×ＦＬＯＢなる条件を満たす請求項１に記載のマクロスコープ。
【請求項３】
ＰＦを同焦距離として知られる物体からマクロ対物レンズの機械的なネジ部までの距離としたとき、該距離が、６０mm＜ＰＦ＜１５０mmなる条件を満たす複数のマクロ対物レンズを有する、請求項１に記載のマクロスコープ。
【発明の詳細な説明】
【０００１】
【発明の属する技術分野】
本発明は、マクロスコープ、特に組立てが簡単な、低倍率、高解像且つ像の明るいマクロスコープに関する。
【０００２】
【従来の技術】
マクロスコープは、肉眼で見ることのできる物体又は標本の拡大観察に使用され、例えば、細胞や小さい昆虫のグループ全体を拡大して観察するのに使用することができる。応用の一形式では、例えば、小さい昆虫や細胞の集団は蛍光染料で着色された後、マクロスコープで観察下にある間、光で照らされる。マクロスコープは、観察者が、細胞集団は全体としてどのように反応するかまた細胞は互いにどのように相互作用するかを観察し且つ研究するのを可能にする。
【０００３】
顕微鏡は、低倍率、高解像の観察に特に十分適しているとはいえない。これには多くの理由がある。第一に、観察される試料の大きさや従来の顕微鏡を用いて照明できる試料の強度に物理的な限界があるということである。特に、従来の顕微鏡は、顕微鏡枠上に装架された回転するターレットノーズピース上に二つ以上の独立した対物レンズユニットを有していて、これらの対物レンズは、異なる倍率レベルを備えており、例えば、１０，２０，４０及び１００の倍率で夫々像を拡大できる。
【０００４】
ノーズピースは、使用中、試料を観察するために使用される対物レンズを選択するために回される。単一のノーズピースにこれらの対物レンズユニットを収容するために、従来、各対物レンズは直径２２．３mmの機械的なネジ部を介してノーズピースに取り付けられる。このネジの寸法は対物レンズの射出瞳径に対し物理的な制限を加えることになる。
【０００５】
この寸法の制限は、対物レンズを介して伝達され又は観察され得る光量に影響を与える。レンズを通して伝達される光の量はそのレンズの直径の二乗に比例するので、レンズの直径が二倍になれば、そのレンズは四倍の光量を伝送することができる。同様に、レンズの直径が半分になれば、そのレンズは四分の一の光量を伝送できるに過ぎない。
【０００６】
レンズで達成し得る像の細部の空間解像度はレンズを通して伝送される光の量の関数である。顕微鏡対物レンズを通して伝送され得る光量に関するネジ寸法による物理的制限は、そのレンズで得ることの出来る空間解像度を制限するようにも作用する。
【０００７】
この制限は、標本が標本の下からの光で照明される透過型顕微鏡で得ることの出来る光の強さに影響を及ぼす。これらの顕微鏡では、光は標本を透過して標本の像を形成するための対物レンズに達するので、標本が観察される光の強さは、そのレンズの直径の二乗の関数として変動する。その関数は、標本が対物レンズを介して上方から照明されて標本から反射した光がその対物レンズによって結像される反射型顕微鏡に対しても同様である。
【０００８】
対物レンズを通って伝送され得る光の量に関する上述の制限は、特に、顕微鏡により蛍光像を観察するための能力をも制限する。これは、代表的には蛍光像を観察するのに高い強度レベルの光が必要とされるため、そうである。
【０００９】
この制限は、標本が対物レンズを介して照明される蛍光顕微鏡で得ることの出来る光の強さに特に影響を及ぼす。蛍光顕微鏡観察において代表的には励起光と呼ばれる照明光は、対物レンズを介して伝送される。この励起光は標本内の或る蛍光分子に蛍光発光を生ぜしめる。この蛍光により放出される光は代表的には放射光と呼ばれる。この放射光は対物レンズにより結像されるので、標本を観察する光の強度は対物レンズ径（直径）の四乗の関数として変動する。
【００１０】
【発明が解決しようとする課題】
本発明の目的はマクロスコープを改良することにある。
本発明の他の目的は低倍率、高解像且つ像の明るいマクロスコープを提供することにある。
本発明の更に他の目的は組立てが簡単な低倍率、高解像マクロスコープを提供することにある。
【００１１】
【課題を解決するための手段】
上記目的及びその他の目的は、本体部と、標本を支持するため本体部に結合されたステージと、該ステージ上の標本の拡大された中間像を形成するため２３mmよりも大きい機械的なネジ径を有する対物レンズ組立体を含むレンズ系と、を含むマクロスコープで、達成される。そのマクロスコープはまた前記レンズ系に結合されていて前記対物レンズにより生成された拡大像を更に拡大する接眼レンズを含んでいる。
【００１２】
マクロスコープは、好ましくは、標本を照明するための照明系を更に含み、この照明系は光源とミラーを含んでいる。ミラーは前記レンズ系中に配置されていて、光源からの光を対物レンズ組立体を介して標本上へ向けるのに役立てられる。このミラーは対物レンズ組立体の直径よりも大きい直径を持っている。この構成により、前記ミラーは対物レンズ組立体の水平方向横断面領域全体に光を向け、且つまた対物レンズ組立体から伝達される標本像の大きさを限定もしない。
【００１３】
更に、好ましくは、対物レンズ組立体は、ＮＡＯＢを対物レンズ組立体の開口数、ＦＬＯＢを対物レンズ組立体の焦点距離、ＷＤＯＢを対物レンズ組立体のワーキングディスタンスとしたとき、下記条件を満たしている。
２２mm＜２×ＮＡＯＢ×ＦＬＯＢ
２０mm＜ＦＬＯＢ＜１５０mm
１０mm＜ＷＤＯＢ＜１００mm
【００１４】
特に、好ましくは、対物レンズ組立体は下記条件を満たしている。
２７mm＜２×ＮＡＯＢ×ＦＬＯＢ
この条件は像強度を更に増大させる。
【００１５】
本発明の更なる利益及び利点は、本発明の好適実施例を特定し且つ示している添付図面を参照してなされる以下の詳細な説明から明らかになるであろう。
【００１６】
【発明の実施の形態】
本発明において蛍光励起用にＵＶ光例えばＦｕｒａ−２の適用に対し波長３４０mmの光を使用する場合には、下記のガラスが使用され得る。このようなＵＶ光伝送用のガラスは、νd をガラスのアツベ分散率、ｎｄをガラスの屈折率としたとき、
１．４＜ｎｄ＜１．７５に対してνd ≧−６０ｎｄ＋１５３．８  又は
５０＜νd ＜６８に対してｎｄ≧（−νd ＋１５３．８）／６０
であるように選定されるべきである。
【００１７】
ガラスがこれらの条件に従わない場合には、マクロ対物レンズはＵＶ光を伝送するのが非常に難しい。
【００１８】
以下、本発明の実施の形態を図示した実施例に基づき説明する。図１は、本体部１２と、ステージ１４ａと、合焦ユニット１４ｂと、接眼レンズ１６と、レンズ系２０とを含むマクロスコープ１０全体を示しており、好ましくは、このマクロスコープは照明系２２ａ及び２２ｂをも含み、照明系２２ａは反射光照明器或いは蛍光照明器であり、照明系２２ｂは透過光照明器である。図１に示されたマクロスコープ１０の実施例では、レンズ系２０は対物レンズ組立体２４と鏡筒レンズ組立体２６を含んでいる。
【００１９】
更に、照明系２２ａは、頂部光源（落射光源）３０とレンズ組立体３４を含んでいる。照明系２２ｂは底部光源（透過光源）３２とレンズ−ミラー組立体３６を含んでいる。
【００２０】
一般的に、本体部１２はマクロスコープ１０のその他の複数の素要を含んでいて、マクロスコープの運搬を容易にするためのハンドルとしても役立つ。ステージ１４ａは本体部１２によって支持されていて、標本又は物体を支持するために使用される。合焦ユニット１４ｂは中間像４６の正確な合焦のために標本位置を調節する。レンズ系２０はステージ１４ａ上の標本の拡大像を生成するのに使用され、使用に際し、観察者は拡大像を観察するため接眼レンズを目で覗く。
【００２１】
照明系２２ａ，２２ｂは観察中の標本を照明するのに使用され、特に、レンズ組立体３４は光源３０からステージ１４ｂ上へ上方から光を向けることができるように設けられており、ミラー４０とコンデンサーレンズ４２は光源３２からの光をステージ１４ａへ下方から投射するのに使用される。好ましくは、頂部光源３０はタングステンハロゲンランプ，水銀（Ｈｇ）ランプ又はキセノン（Ｘｅ）ランプとコレクターレンズであるか、又はこれらを含み、底部光源３２はタングステンハロゲンランプを含む。
【００２２】
レンズ系２０は図２により詳細に略示されている。ここに示されたように、ステージ１４ａ上の標本４４は対物レンズ組立体２４の前側焦点面に置かれており、その対物レンズ組立体は鏡筒レンズ組立体２６へ平行光束を投射する。即ち、ここで無限遠光学系が形成されている。鏡筒レンズ組立体２６は鏡筒レンズの後側焦点面に標本の合焦した中間像４６を生成する。なお、対物レンズ組立体２４は鏡筒レンズ組立体２６へ収束光を投射する無限遠光学系であっても良い。この時、鏡筒レンズ組立体２６は、無限遠光学系の場合と同じ位置に中間像４６を生成するように調整されている必要がある。ビデオ観察の場合には、中間像４６の位置にカメラが設置されるべきである。図１及び２において、その中間像は像面上に最終的な拡大像を生成するため接眼レンズ１６により更に拡大され、その最終像は接眼レンズを覗く観察者によって見られる。対物レンズ組立体２４と標本４４の面との間の距離は対物レンズ組立体のワーキングディスタンスＷＤとして参照される。
【００２３】
対物レンズ組立体２４は２３mmよりも大きい直径を有し、例えば５０mmの焦点距離を有してもよい。これは比較的大きい即ち広い視野を提供し、レンズを介して十分な量の光が伝送されるのを許す。その結果、対物レンズ組立体２４は高い強度レベル、即ち高い解像度で比較的広い範囲で巨視的な物体を観察するのに使用できる。更に、好ましくは、対物レンズ組立体は、ＮＡＯＢを対物レンズ組立体のための開口数、ＦＬＯＢを対物レンズ組立体の焦点距離としたとき、２２mm＜２×ＮＡＯＢ×ＦＬＯＢなる条件を満たす。
【００２４】
好ましくは、対物レンズ組立体の焦点距離は２０mmと１５０mmの間にあり、その対物レンズ組立体のワーキングディスタンスは１０mmと１００mmの間にある。
【００２５】
更に、好ましくは、対物レンズ組立体は二つより多い光学ユニットを含む。対物レンズ組立体の標本側の光学ユニットは正の焦点距離の二組のレンズ群を有する。同焦距離と呼ばれる、対物レンズの機械的ネジ部から物体までの距離は６０mmと１５０mmの間にある。６０mmよりも小さい同焦距離のマクロレンズを設計するのは、その焦点距離が同焦距離に近いか或いは同焦距離よりも大きいため、非常に難しい。
【００２６】
本発明においては、適当などのような対物レンズ組立体２４でも使用することができる。対物レンズ組立体はマクロスコープ１０に取り外し可能に装着されるのが好ましい。更に好ましくは、以下により詳細に検討するように、対物レンズ組立体２４は従来の顕微鏡のノーズピースに置換されてもよい。
【００２７】
実際に実用に供された本発明の一実施例では、対物レンズ組立体２４は図３に示されたオリンパスＳＬＲレンズＺＩＫＯ  ＡＵＴＯ−Ｓ  ５０mmＦナンバー１．８のような一眼レフレックスカメラレンズである。更に、マクロスコープ１０のこの実施例では、マクロスコープにそのレンズを取り外し可能に装着するため、アダプター即ちコネクターが使用される。
【００２８】
図４（ａ）乃至（ｃ）に符号５０により適当なアダプターが詳細に示されており、これらの図を参照すると、コネクター５０は円筒状のネジ部５０ａとアリ継ぎ部５０ｂとを有する枠部材を含んでいる。ネジ部５０ａはカメラレンズ２４にねじ込まれるようになっており、また、アリ継ぎ部５０ｂはマクロスコープ１０のアリ溝内に嵌合してアリ嵌合するようになっていて、それによりレンズ系２０にカメラレンズを結合する。好ましくは、コネクターは対物レンズ組立体の直径に等しいか或いはそれよりも大きい直径５０ｃを有し、従って好ましくは２３mm以上の直径を持つ。
【００２９】
図１及び２に示すように、ミラー５４は対物レンズ組立体２４と鏡筒レンズ組立体２６の間のレンズ系２０内に設置される。ミラー５４は図５の（ａ）乃至（ｃ）により詳細に示されていて、例えば、二色性ミラー（ダイクロイックミラー），多色性ミラー（ポリクロマティックミラー）或いはハーフミラーであっても良い。好ましくは、このミラーは対物レンズ組立体２４の直径に等しいか或いはそれよりも大きい有効直径５４ｂを有し、従って好ましくは少なくとも２３mmの直径を持つ。かくして、第一に、このミラーは対物レンズを介して光を該レンズの水平横断面領域全体に亘って指向させることができ、第二に、対物レンズから上方に向けられる光の何れの上方への伝送に対しても水平横断面領域を制限することはない。更に、好ましくは、ミラー５４に近接している蛍光照明器３４ａのレンズの焦点距離（ＦＩＬＬ）は５０mmよりも長い。
【００３０】
当業者により理解されるであろうように、マクロスコープ１０の本体部１２，ステージ１４ａ，接眼レンズ１６及び照明系２２ａ，２２ｂは、従来のもので作るか又は構成することができる。又、マクロスコープ１０にはここでは特に記載しない付加的な特徴又は品目を具備させても良い。
【００３１】
好ましくは合焦ユニット１４ｂが本体部１２により垂直移動のために支持されていて、その垂直位置は対物レンズ組立体２４をステージ上に置かれた標本に焦点を合わせた状態に保持するように調節できる。合焦ユニット１４ｂに上下動させるために任意の適宜機構（図示せず）を装備しても良い。
【００３２】
図６及び７は本発明を実施する別のマクロスコープ６０を示している。マクロスコープ６０はマクロスコープ１０に非常に似ていて、ステージ６２，接眼レンズ６４，レンズ系６６，伝送照明系７０ａ及び反射又は蛍光照明器７０ｂを含み、そしてレンズ系６６は対物レンズ組立体２４を含んでいる。マクロスコープ１０と６０との基本的な違いは、後者のマクロスコープは基部７２と本体部１２に代わる支柱７４とを含んでいるということである。マクロスコープ６０では、ステージ６２は基部７２上に装架されており、そして照明器７６とミラー８０が基部７２の中に設置されている。又、支柱７４はマクロスコープ６０の上側要素と下側要素を結合するため基部７２に連結されて上方へ延びている。更に、マクロスコープ６０では、対物レンズ組立体２４をステージ上の標本に焦点合わせするためステージ６２に対してレンズ系６６を上下動させるのに、合焦用ノブ８２ａが用いられる。
【００３３】
両マクロスコープ１０及び６０の重要な利点は、何れも製作が非常に簡単で、特に商業上有用な顕微鏡とりわけオリンパス光学工業（株）製の顕微鏡ＢＸ５０ＷＩ及びＢＸ３０に比較的簡単な修正を加えることによって組み立てることが出来る、ということである。これらの顕微鏡をマクロスコープ１０及び６０に変換するには、顕微鏡のノーズピースを取り外して対物レンズ２４−コネクター５０の組合せを置換する。この効果的な転換を可能にする上記顕微鏡の重要で独特な特性は、これらの顕微鏡の両方にあるミラー５４が十分に大きくて、観察される標本上へ下方に向けて伝送される照明光束の大きさも、対物レンズ組立体２４から上方へ向けて伝送される像光束の大きさも制限しないようになっているということである。ミラー５４の直径は少なくとも２３mmであるべきである。
【００３４】
マクロスコープ１０又は６０の何れにおいても使用できる別の対物レンズ組立体が図８に符号８４で示されている。この組立体は図に示されたように順次配列された一連の個々のレンズ８４ａ，８４ｂ，８４ｃ，８４ｄ，８４ｅ，８４ｆ，８４ｇを含んでいる。物体面から対物レンズのネジ部までの距離はＥである。図９はこのレンズ組立体８４が焦点面８６上の複数の点に三つの合焦像を形成させるのにどのように使用され得るかを略示している。８４ｈは単一群型鏡筒レンズである。図１０の表は組立体８４の各レンズに関する各種の測定値とその他のデータを提供している。この４×  マクロレンズは、このマクロ対物レンズが高透過率のガラス材料から成るため、良好なＵＶ透過率を持っている。
【００３５】
図１１は順次配列された一連の個々のレンズ８８ａ，８８ｂ，８８ｃ，８８ｄ，８８ｅを含むもう一つの別の対物レンズ組立体８８を示し、又、図１２はマクロスコープ１０又は６０の何れにも使用できるこの組立体８８が、焦点面９０上の複数の点に三つの合焦像を生成するのにどのように使用され得るかを略示している。物体面から対物レンズのネジ部までの距離はＦである。図１３の表は組立体８８の各レンズに関する各種の測定値とその他のデータを提供している。この４×  マクロレンズは、このマクロ対物レンズが高透過率のガラス材料から成っているため、良好なＵＶ透過率を持っている。
【００３６】
図１４には更に別の対物レンズ組立体が符号９２で示されており、この組立体は順次配列された一連の個々のレンズ９２ａ，９２ｂ，９２ｃ，９２ｄ，９２ｅ，９２ｆ，９２ｇ，９２ｈを含んでいる。図１５はマクロスコープ１０又は６０の何れにも使用できるこのレンズ組立体９２が、焦点面９４上の複数の点に三つの合焦像を形成するのにどのように使用され得るかを略示している。物体面から対物レンズのネジ部までの距離はＧである。図１６の表は組立体９２の各レンズに関する各種の測定値とその他のデータを提供している。
【００３７】
図１７は本発明の教示をも実施した更に別のマクロスコープ１００を示している。マクロスコープ１００はマクロスコープ６０に類似していて、レンズ系１０２，接眼レンズ１０４，照明系１０６，基部１１０及び支柱１１２を含んでいる。マクロスコープ１００はレンズ系１０２，接眼レンズ１０４及び照明部１０６を支柱１１２上で垂直移動できるように装架するのに使用されるラック・ピニオン組立体１１４を更に含んでいる。又、ステージは標本を支持するため基部１１０上に装着されてもよい。
【００３８】
マクロスコープ１００では、レンズ系１０２は対物レンズ組立体２４と従来の顕微鏡対物レンズユニットであっても良いもう一つのレンズ組立体１２０を含むノーズピース１１６を含んでいる。例えば、レンズ組立体１２０は焦点距離１００mmの対物レンズである。ノーズピース１１６は装架手段１２２を介して照明部１０６に回転可能に装着されて、対物レンズ組立体２４とレンズ組立体１２０がマクロスコープの光軸上の位置へ夫々回転され得るようになっている。このようにして、レンズ組立体２４及び１２０の各々はマクロスコープの基部又はステージ上の標本の各拡大像を形成するため夫々使用することができ、従って、マクロスコープ１００は標準の顕微鏡として或いは低倍、高分解能のマクロスコープとして交互に機能し得る。
【００３９】
ここに開示された本発明は先に述べた諸目的を充足するのに十分に適していることは明らかであるが、当業者により多くの修正例及び実施例が工夫され得ることは認識されるであろうし、又、特許請求の範囲の各請求項は、本発明の真実の精神並びに範囲内にある総てのかかる修正例及び実施例をカバーすることが意図されている。
【００４０】
以上説明したように、本発明による高解像マクロスコープは、特許請求の範囲に記載した特徴のほかに、下記の特徴を有している。
【００４１】
（１）  本体部と、標本を支持するため前記本体部に結合されたステージと、該ステージ上の標本の拡大された中間像を形成するため２３mmよりも大きい機械的なネジ径を有する対物レンズ組立体を含むレンズ系及び／又は標本の更に拡大された合焦像を形成するため前記レンズ系に結合された接眼レンズとを含むマクロスコープ。
【００４２】
（２）  標本を照明するための照明系を更に含み、該照明系は、光源と、前記対物レンズ組立体を介して前記標本上へ前記光源からの光を向けさせるため前記レンズ系中に配置され、且つ／又は前記対物レンズ組立体の水平方向横断面領域全体に光を向けるように該対物レンズ組立体の直径よりも大きい直径を有するミラーとを含んでいる上記（１）に記載のマクロスコープ。
【００４３】
（３）  ＮＡＯＢを前記対物レンズ組立体の開口数、ＦＬＯＢを前記対物レンズ組立体の焦点距離としたとき、前記対物レンズ組立体は２２mm＜２×ＮＡＯＢ×ＦＬＯＢなる条件を満たす上記（２）に記載のマクロスコープ。
【００４４】
（４）  照明系は、前記ミラーに近接配置されていて、５０mmよりも長い焦点距離を有する蛍光発光レンズユニットを含んでいる、上記（２）に記載のマクロスコープ。
【００４５】
（５）  前記レンズ系の前記対物レンズ組立体に取り外し可能に結合されたアダプターを更に含んでいる上記（１）に記載の顕微鏡。
【００４６】
（６）  前記アダプターは、前記対物レンズ組立体に付設されたネジ部と、前記レンズ系に取り外し可能に保持されたアリ継ぎ部とを含んでいる、上記（５）に記載のマクロスコープ。
【００４７】
（７）  倍率が４倍から１００倍で２２mmよりも小さい射出瞳径を有する従来の顕微鏡対物レンズに取り付け可能であり、２２mmを超える有効光学径を有し、且つ前記マクロ対物レンズは２３mmを超える射出瞳径を有している、上記（１）に記載のマクロスコープ。
【００４８】
（８）  ＦＬＯＢをマクロ対物レンズの焦点距離としたとき、２０mm＜ＦＬＯＢ＜１５０mmなる条件を満たす複数のマクロ対物レンズを有している、上記（１）に記載のマクロスコープ。
【００４９】
（９）  ＷＤＯＢをマクロ対物レンズのワーキングディスタンスとしたとき、１０mm＜ＷＤＯＢ＜１００mmなる条件を満たすワーキングディスタンスを持つマクロ対物レンズを有している、上記（１）に記載のマクロスコープ。
【００５０】
（10)   ＰＦを同焦距離として知られる物体からマクロ対物レンズの機械的なネジ部までの距離としたとき、該距離が、６０mm＜ＰＦ＜１５０mmなる条件を満たす複数のマクロ対物レンズを有する、上記（１）に記載のマクロスコープ。
【００５１】
（11)   有限遠光学系又は無限遠光学系であり得る光学系を有している上記（１）に記載のマクロスコープ。
【００５２】
（12)   三つの光学ユニット、即ち、標本側にあって少なくとも一つの正のレンズパワーを有する第一の光学ユニットと、中心部にあって少なくとも一つの負のレンズパワーを有する第二の光学ユニットと、像側にあって少なくとも一つの正のレンズパワーを有する第三の光学ユニットと、から成るマクロレンズを有する上記（１）に記載のマクロスコープ。
【００５３】
（13)   本体部と、標本を支持するため前記本体部に結合されたステージと、該ステージ上に標本の拡大された中間像を形成するため複数の対物レンズユニットを有する取り外し可能なノーズピースを含むように構成されたレンズ系と、標本の更に拡大された合焦像を形成するため前記レンズ系に結合された接眼レンズとを有する顕微鏡からマクロスコープを組立てるため、前記ノーズピースの代わりに、広い視野を有する拡大された中間像を形成すべく２３mmよりも大きい直径を有する対物レンズ組立体を前記レンズ系に結合することを含む、マクロスコープの組立方法。
【００５４】
（14)   前記の対物レンズ組立体を前記レンズ系に結合するステップが、前記対物レンズ組立体をアダプターに結合するステップと、該アダプターを前記レンズ系に結合するステップとを含んでいる、上記（１３）に記載の方法。
【００５５】
（15)   前記顕微鏡が、光源と該光源からの光を前記ステージに向けて落とすためのミラーとを有する照明系を含み、前記方法が、中間像の横断面領域を限定することなしに前記ミラーを介して前記対物レンズ組立体から上方へ前記中間像を伝送するため前記ミラーを介して上方へ無制限の光路を維持するステップを更に含む、上記（１３）に記載の方法。
【００５６】
（16)   ＮＡＯＢを前記対物レンズ組立体の開口数、ＦＬＯＢを前記対物レンズ組立体の焦点距離としたとき、前記マクロスコープが、２２mm＜２×ＮＡＯＢ×ＦＬＯＢなる条件を満たす、上記（１３）に記載の方法。
【００５７】
（17)   本体部と、標本を支持するため前記本体部に結合されたステージと、レンズ系とを含み、該レンズ系は、
前記ステージ上の標本の低い倍率の拡大された中間像を形成するため２３mmよりも大きい直径を有する第一のマクロスコープ対物レンズ組立体と、前記ステージ上の標本の拡大された中間像を形成するための第二のマクロスコープ対物レンズ組立体とを有すノーズピースと、
前記第一の対物レンズ組立体が前記レンズ系の光軸と整合する第一位置と前記第二の対物レンズ組立体が前記レンズ系の光軸と整合する第二位置との間を移動できるように前記レンズ系中に前記ノイズピースを回転可能に装架する手段と、且つ／又は標本の更に拡大された合焦像を形成するため前記光学系に結合された接眼レンズと、を含むマクロスコープ。
【００５８】
（18)   ＮＡＯＢを前記対物レンズ組立体の開口数、ＦＬＯＢを前記対物レンズ組立体の焦点距離としたとき、前記第一の対物レンズ組立体が２２mm＜２×ＮＡＯＢ×ＦＬＯＢなる条件を満たす、上記（１７）に記載のマクロスコープ。
【００５９】
（19)   ＦＬＯＢを前記第一の対物レンズ組立体の焦点距離としたとき、前記第一の対物レンズ組立体は２０mm＜ＦＬＯＢ＜１５０mmなる条件を満たし、且つＷＤＯＢを前記第一の対物レンズ組立体のワーキングディスタンスとしたとき、前記第一の対物レンズ組立体は１０mm＜ＷＤＯＢ＜１００mmなる条件を満たすワーキングディスタンスを有している、上記（１８）に記載のマクロスコープ。
【００６０】
（20)   本体部と、標本を支持するため前記本体部に結合されたステージと、該ステージ上の標本の拡大された中間像を形成するため２７mmよりも大きい直径を有する対物レンズ組立体を含むレンズ系と、及び／又は標本の更に拡大された合焦像を形成するため前記レンズ系に結合された接眼レンズとを含むマクロスコープ。
【００６１】
（21)   νd をガラスのアツベ分散率、ｎｄをガラスの屈折率としたとき、対物レンズの内側に在る最小の一組のレンズが、１．４＜ｎｄ＜１．７５に対してνd ≧−６０ｎｄ＋１５３．８、及び／又は５０＜νd ＜６８に対してｎｄ＞（−νd ＋１５３．８）／６０なる条件を満たしている、上記（２）に記載のマクロスコープ。
【発明の効果】
上述の如く本発明によれば、対物レンズ組立体の横断面全体に亘って光を指向させ且つ対物レンズ組立体から伝送される標本像の大きさを制限することのない、組立てが簡単で、低倍率高解像の明るい標本像を得ることのできるマクロスコープを提供することができる。
【図面の簡単な説明】
【図１】本発明によるマクロスコープの一実施例の全体構成図である。
【図２】図１に示すマクロスコープのレンズ系の概略図である。
【図３】対物レンズ組立体の一例を示す断面図である。
【図４】マクロスコープの本体に図３に示した対物レンズ組立体を結合するために用いられるアダプター（コネクター）を示しており、（ａ）は正面図、（ｂ）は断面図、（ｃ）は背面図である。
【図５】レンズ系に配置されるミラーを示しており、（ａ）は一部破断正面図、（ｂ）は断面図、（ｃ）は平面図である。
【図６】本発明によるマクロスコープの他の実施例の全体構成図である。
【図７】図６の右方から見た全体構成図である。
【図８】対物レンズ組立体の他の例を示す断面図である。
【図９】図８に示した対物レンズ組立体を含むレンズ系の断面図である。
【図１０】図８及び９に示したレンズの各種測定値を示す表である。
【図１１】対物レンズ組立体の更に他の例を示す断面図である。
【図１２】図１１に示した対物レンズ組立体を含むレンズ系の断面図である。
【図１３】図１１及び１２に示したレンズの各種測定値を示す表である。
【図１４】対物レンズ組立体の更に他の例を示す断面図である。
【図１５】図１４に示した対物レンズ組立体を含むレンズ系の断面図である。
【図１６】図１４及び１５に示したレンズの各種測定値を示す表である。
【図１７】本発明によるマクロスコープの更に他の実施例の全体構成図である。
【符号の説明】
１０，６０，１００        マクロスコープ
１２                      本体部
１４ａ，６２              ステージ
１４ｂ                    合焦ユニット
１６，６４，１０４        接眼レンズ
２０，６６，１０２        レンズ系
２２ａ，２２ｂ，７０ａ，７０ｂ    照明系
２４，８４，８８，９２    対物レンズ組立体
２６                      鏡筒レンズ組立体
３０，３２                光源
３４                      レンズ組立体
３４ａ，７６              蛍光照明器
３６                      レンズ−ミラー組立体
４０，５４，８０          ミラー
４２                      コンデンサーレンズ
４４                      標本
４６                      中間像
５０                      コネクター
５０ａ                    ネジ部
５０ｂ                    アリ継ぎ部
５０ｃ，５４ａ            直径
７２                      基部
７４                      支柱
８２ａ                    合焦用ノブ
８４ａ，８４ｂ，８４ｃ，８４ｄ，８４ｅ，８４ｆ．８４ｇ    レンズ
８６，９０，９４          焦点面
８８ａ，８８ｂ，８８ｃ，８８ｄ，８８ｅ，８８    レンズ
９２ａ，９２ｂ，９２ｃ，９２ｄ，９２ｅ，９２ｆ．９２ｇ，９２ｈ  レンズ
１０６                    照明部
１１０                    基部
１１２                    支柱
１１４                    ラック・ピニオン組立体
１１６                    ノーズピース
１２２                    装架手段
Ｅ，Ｆ，Ｇ                像面から対物レンズのネジ部までの距離
【図１】
0004106139.tif 000002
【図２】
0004106139.tif 000003
【図３】
0004106139.tif 000004
【図４】
0004106139.tif 000005
【図５】
0004106139.tif 000006
【図６】
0004106139.tif 000007
【図７】
0004106139.tif 000008
【図８】
0004106139.tif 000009
【図９】
0004106139.tif 000010
【図１０】
0004106139.tif 000011
【図１１】
0004106139.tif 000012
【図１２】
0004106139.tif 000013
【図１３】
0004106139.tif 000014
【図１４】
0004106139.tif 000015
【図１５】
0004106139.tif 000016
【図１６】
0004106139.tif 000017
【図１７】
0004106139.tif 000018